(57)【要約】【課題】【解決手段】本発明に従って、心臓、特に心房の除細動のための医療装置及び方法が提供される。該医療装置は、除細動パルスを出力することのできる制御装置１０６と、制御装置と結合された基端部分と、制御装置と電気的に結合され且つ、第一のリードの基端部分から末端側に配置された第一の電極とを有する第一のリード１１０とを備え、第一のリード１１０は、身体の静脈系を通じて配線することができ、第一の電極が心臓の右心房３０４の壁と電気的に結合されるようにする。更に、該医療装置は、制御装置と結合された基端部分を有する第二のリード１１２と、制御装置と電気的に結合され且つ、第二のリードの基端部分から末端側に配置された第二の電極とを有し、第二のリード１１２は、身体の静脈系を通じて配線し、第二の電極を斜静脈３０６の壁と電気的に結合するようにする。
2005518257.tif 000002
【特許請求の範囲】
【請求項１】
心臓の除細動方法において、
第一の電極を心臓の第一の部分と電気的に接触するように配置するステップと、
第二の電極を心臓の第二の部分と電気的に接触するように配置するステップと、
心臓の事象が検出されたとの判断に応答して第一の電極と第二の電極との間に電気パルスを伝送するステップとを備える、心臓の除細動方法。
【請求項２】
請求項１に記載の方法において、
第一の電極を心臓の第一の部分と電気的に接触するように配置するステップが、第一の電極を心臓の右心房壁と電気的に接触するように配置するステップを更に備える、方法。
【請求項３】
請求項１に記載の方法において、
第二の電極を心臓の第二の部分と電気的に接触するように配置するステップが、第二の電極を斜静脈壁と電気的に接触するように配置するステップを更に備える、方法。
【請求項４】
請求項１に記載の方法において、
電気パルスを伝送するステップが、心房細動が検出されたとの判断に応答して第一の電極と第二の電極との間にて電気パルスを伝送するステップを更に備える、方法。
【請求項５】
請求項１に記載の方法において、
電気パルスを伝送するステップが、第一の電極と第二の電極との間にて１相電気パルスを伝送するステップを更に備える、方法。
【請求項６】
請求項１に記載の方法において、
電気パルスを伝送するステップが、第一の電極と第二の電極との間にて２相電気パルスを伝送するステップを更に備える、方法。
【請求項７】
請求項１に記載の方法において、
第三の電極を心臓の右心室（ｒｉｇｈｔ  ｖｅｎｔｒｉｃｌｅ）壁と電気的に接触するように配置するステップと、
心臓に心室細動が生じているならば、第三の電極と第一及び第二の電極の少なくとも一方との間にて電気パルスを伝送するステップとを更に備える、方法。
【請求項８】
請求項３に記載の方法において、
心室細動の有無について心臓を感知するステップを更に備える、方法。
【請求項９】
請求項３に記載の方法において、
電気パルスを伝送するステップが、第三の電極と第一及び第二の電極の少なくとも一方との間にて１相電気パルスを伝送するステップを更に備える、方法。
【請求項１０】
請求項３に記載の方法において、
電気パルスを伝送するステップが、第三の電極と第一及び第二の電極の少なくとも一方との間にて２相電気パルスを伝送するステップを更に備える、方法。
【請求項１１】
心臓の除細動装置において、
第一の電極を心臓の第一の部分と電気的に接触するように配置する手段と、
第二の電極を心臓の第二の部分と電気的に接触するように配置する手段と、
心臓の事象が検出されたとの判断に応答して第一の電極と第二の電極との間にて電気パルスを伝送する手段とを備える、心臓の除細動装置。
【請求項１２】
請求項１１に記載の装置において、
第一の電極を心臓の第一の部分と電気的に接触するように配置する手段が、第一の電極を心臓の右心房（ｒｉｇｈｔ  ａｔｒｉｕｍ）壁と電気的に接触するように配置する手段を更に備える、装置。
【請求項１３】
請求項１１に記載の装置において、
第二の電極を心臓の第二の部分と電気的に接触するように配置する手段が、第二の電極を斜静脈壁と電気的に接触するように配置する手段を更に備える、装置。
【請求項１４】
請求項１１に記載の装置において、
電気パルスを伝送する手段が、心房細動が検出されたとの判断に応答して第一の電極と第二の電極との間にて電気パルスを伝送する手段を更に備える、装置。
【請求項１５】
請求項１１に記載の装置において、
電気パルスを伝送する手段が、第一の電極と第二の電極との間にて１相電気パルスを伝送する手段を更に備える、装置。
【請求項１６】
請求項１１に記載の装置において、
電気パルスを伝送する手段が、第一の電極と第二の電極との間にて２相電気パルスを伝送する手段を更に備える、装置。
【請求項１７】
請求項１１に記載の装置において、
第三の電極を心臓の右心室壁と電気的に接触するように配置する手段と、
心臓に心室細動が生じているならば、第三の電極と第一及び第二の電極の少なくとも一方との間にて電気パルスを伝送する手段とを更に備える、装置。
【請求項１８】
請求項１７に記載の装置において、
心室細動の有無について心臓を感知する手段を更に備える、装置。
【請求項１９】
請求項１７に記載の装置において、
電気パルスを伝送する手段が、第三の電極と第一及び第二の電極の少なくとも一方との間にて１相電気パルスを伝送する手段を更に備える、装置。
【請求項２０】
請求項１７に記載の装置において、
電気パルスを伝送する手段が、第三の電極と第一及び第二の電極の少なくとも一方との間にて２相電気パルスを伝送する手段を更に備える、装置。
【請求項２１】
医療装置において、
除細動パルスを出力することのできる制御装置と、
第一のリードであて、制御装置と結合された基端部分と、制御装置と電気的に結合され且つ、該第一のリードの基端部分から末端側に配置された第一の電極とを有する前記第一のリードであって、第一の電極が心臓の右心房（ｒｉｇｈｔ  ａｔｒｉｕｍ）壁と電気的に結合されるように身体の静脈系を通じて配線することのできる前記第一のリードと、
第二のリードであて、制御装置と結合された基端部分と、制御装置と電気的に結合され且つ、該第二のリードの基端部分から末端側に配置された第二の電極とを有する前記第二のリードであって、第二の電極が斜静脈壁と電気的に結合されるように身体の静脈系を通じて配線することのできる前記第二のリードとを備える、医療装置。
【請求項２２】
請求項２１に記載の医療装置において、
第一のリードが、制御装置から除細動パルスを受け取ることができ且つ、該除細動パルスを第一の電極を介して心臓に伝送することができ、
第二のリードが、心臓から第二の電極により受け取った除細動パルスを制御装置に伝送することができる、医療装置。
【請求項２３】
請求項２１に記載の医療装置において、
第二のリードが、制御装置から除細動パルスを受け取ることができ且つ、該除細動パルスを第二の電極を介して心臓に伝送することができ、
第一のリードが、心臓から第一の電極により受け取った除細動パルスを制御装置に伝送することができる、医療装置。
【請求項２４】
請求項２１に記載の医療装置において、
制御装置が、第一の相及び第二の相を有する２相除細動パルスを出力することができ、第一の相が第一のリードに出力され、第二の相が第二のリードに出力され、
第一のリードが、第一の相を制御装置から受け取ることができ且つ、該第一の相を第一の電極に伝送することができ、
第二のリードが、第二の相を制御装置から受け取ることができ且つ、該第二の相を第二の電極に伝送することができ、
第一のリードが、第一の電極により心臓から受け取った第二の相を制御装置に伝送することができ、
第二のリードが、第二の電極により心臓から受け取った第一の相を制御装置に伝送することができる、医療装置。
【請求項２５】
請求項２１に記載の医療装置において、
第一のリード及び第二のリードの少なくとも一方が、制御装置と電気的に結合された感知電極を更に備え且つ、心臓のリズムに相応する電気的刺激を受け取ることができ、
制御装置が電気的刺激を受け取り且つ処理することができる、医療装置。
【請求項２６】
請求項２１に記載の医療装置において、
第一のリードが、制御装置と電気的に結合され且つ、第一のリードの基端部分と、第一の電極との中間に配置された第三の電極を更に備え、
第一のリードが身体の静脈系を通じて配線することができ、第三の電極が心臓の右心室壁と電気的に結合される、医療装置。
【請求項２７】
請求項２６に記載の医療装置において、
第一のリードが、制御装置から除細動電流を受け取ることができ且つ、該除細動電流を第三の電極を介して心臓に伝送することができ、
第一のリードが、心臓から第一の電極を介して受け取った除細動電流を制御装置に伝送することができる、医療装置。
【請求項２８】
請求項２６に記載の医療装置において、
第一のリードが、制御装置から除細動電流を受け取ることができ且つ、該除細動電流を第三の電極を介して心臓に伝送することができ、
第二のリードが、心臓から第二の電極を介して受け取った除細動電流を制御装置に伝送することができる、医療装置。
【請求項２９】
請求項２６に記載の医療装置において、
第一のリードが、除細動電流を制御装置から受け取ることができ且つ、該除細動電流を第三の電極を介して心臓に伝送することができ、
第二のリードが第二の電極を介して心臓から受け取った除細動電流の第一の部分を制御装置に伝送することができ、
第一のリードが、第一の電極を介して心臓から受け取った除細動電流の第二の部分を制御装置に伝送することができる、医療装置。
【発明の詳細な説明】
【技術分野】
【０００１】
本発明は、全体として、植込み型医療装置システム、より具体的には、心臓の１つ以上の部分の除細動装置及び方法に関する。
永年に亙って、例えば、心房及び心室細動のような冠状血管の不整脈を治療する各種の方法が開発されている。広く説明すれば、心房細動とは、心房と心室との間の同調性が失われることを意味する。心房細動は、一般に、双方の心房を亙って旋回する小波動にて伝わり、心臓のこれらの上部室が毎分当たり６００回以内の速度にて震動する、すなわち細動するようにする電気エネルギの強襲であることを特徴とする。呼吸の短さ、大量の発汗、胸痛、めまい、意識喪失、運動の不耐性、極度の疲労等を含む、広範囲に亙る身体的症状を心房細動と関係付けることができる。
【０００２】
医薬、剥離、ペーシング及び侵襲的手術を使用することに加えて、心房細動は、植え込んだ心房除細動器を使用することを通じて治療することができる。この装置は、心臓内に配置された１つ以上のリードを介して心房に電気ショックを供給することで不整脈を電気的に変換する。典型的に、かかるリードは、静脈系を通じて送り込まれ且つ、心房壁に取り付けられる。しかし、電気ショックを心房にのみ印加することが望ましく、さもなければ、心室が偶発的に細動する可能性がある。
【０００３】
同様に、心室細動とは、心臓の心室における極めて急速で、非調和の無効な一連の収縮である。この状態において、心室は、心臓から血液を効果的に送出することができない。心室細動は、停止させなかったならば、通常、死に至る。患者に心室細動が生じる可能性があると考えるならば、心室除細動器を患者に植え込むことができる。かかる装置は、静脈系を通して送り込まれ且つ、一方又は双方の心室壁に取り付けられる１つ以上のリードも有している。電気ショックは心室に直接、供給されて、不整脈を正常なリズムに変換する。しかし、ショック電流が双方の心室を通るように電気ショックを印加することが全体としてより効果的である。
【０００４】
本発明は、上述した問題点の１つ以上の効果を解消し又は少なくとも軽減することを目的とする。
【発明の開示】
【０００５】
本発明の１つの側面において、心臓の除細動方法が提供される。該方法は、第一の電極を心臓の第一の部分と電気的に接触するように配置するステップと、第二の電極を心臓の第二の部分と電気的に接触するように配置するステップと、心臓の事象が検出されたとの判断に応答して第一の電極と第二の電極の間にて電気パルスを伝送するステップとを含む。
【０００６】
本発明の別の側面において、医療装置が提供される。該医療装置は、除細動パルスを出力することのできる制御装置と、制御装置と結合された基端部分を有する第一のリードであって、制御装置と電気的に結合され且つ、第一のリードの基端部分から末端側に配置された上記第一の電極とを有し、第一のリードが身体の静脈系を通じて配線することができ、第一の電極が心臓の右心房（ｒｉｇｈｔ  ａｔｒｉｕｍ）壁と電気的に結合される。更に、該医療装置は、制御装置と結合された基端部分を有する第二のリードであって、制御装置と電気的に結合され且つ、第二のリード基端部分から末端側に配置された第二の電極を有する上記第二のリードを備え、第二のリードが身体の静脈系を通じて配線することができ、第二の電極が斜静脈壁と電気的に結合される。
【０００７】
本発明は、参照番号の最左側の数字がそれぞれの参照番号が現れる最初の図面を示す、添付図面と共に以下の説明を読むことにより理解することができる。
本発明は、各種の変更形態及び代替的な形態にて具体化可能であるが、その特定の実施の形態を単に一例として図面に示し且つ、以下により詳細に説明する。しかし、特定の実施の形態に関する本明細書の説明は、本発明を開示した特定の形態にのみ制限することを意図するものではなく、本発明は、特許請求の範囲により規定される本発明の精神及び範囲に属する全ての変更形態、等価物及び代替例を包含することを意図するものである。
【発明を実施するための最良の形態】
【０００８】
本発明の一例としての実施の形態について以下に説明する。明確化のため、実際の実施の形態における全ての特徴について本明細書で説明する訳ではない。勿論、かかる実際の実施の形態を開発するとき、多数の実施の形態特有の決定を為し、１つの実施の形態毎に変化するであろう、システムに関連し且つ用途に関連した制約に適合するといったような、開発者の特定の目的を達成することができることが理解されよう。更に、かかる開発努力は、複雑であり且つ時間がかかるであろうが、本開示の利益を享受する当該技術分野の当業者にとって通常の作業であることが理解されよう。
【０００９】
本発明は、心臓の心房及び（又は）心室の除細動装置及び方法を包含する。図１には、患者１０４に植え込まれる本発明による植込み型除細動器１０２の第一の実施の形態が示されている。該植込み型除細動器１０２は、密閉的に密封された生物学的に不活性なキャニスタ１０８内に収容された植込み型電子装置１０６（例えば、制御装置等）を有している。第一のリード１１０及び第二のリード１１２は、植込み型電子装置１０６に電気的に結合される基端部分１１１、１１３をそれぞれ有している。第一のリード１１０及び第二のリード１１２の各々は、以下に説明するように、患者１０４の静脈１１４を介して心臓１１６まで又は心臓に近接する箇所まで伸長している。植込み型医療装置１０２は、プログラミング装置１２０を使用してプログラム化することができ、該プログラミング装置１２０は、無線（例えば、無線周波数等）信号を介して情報を植込み型除細動器１０２に送り且つ該除細動器１０２から受け取ることができる。
【００１０】
図２に示したような、本発明による除細動装置及びリードの第一の実施の形態において、第一のリード１１０及び第二のリード１１２の各々は、リード１１０、１１２の基端部分１１１、１１３（図１に図示）から末端側に配置された露出した導電性の先端電極２０２を有している。所要位置にあるとき、先端電極２０２は、身体組織と電気的に結合され、また、電気ショックを心臓１１６の一部分に供給し又は電気信号を心臓１１６の一部分から受け取るために使用される。リード１１０、１１２は、植込み型電子装置１０６又は植込み型電子装置１０６から伸びる延長電線（図示せず）を先端電極２０２と電気的に結合する導体セット２０６も有している。リード１１０、１１２は、また、以下に説明するように、リード１１０、１１２を組織に定着する１つ以上の定着部材２１０も有することができる。
【００１１】
図３には、右心房（ｒｉｇｈｔ  ａｔｒｉｕｍ）３０４まで伸びる上大静脈３０２及び左心房３０８を越えて冠状動脈洞３１０まで伸長する斜静脈３０６を有する心臓１１６の後方図が示されている。本発明によれば、第一のリード１１０は、身体の静脈系を通り（例えば、鎖骨下静脈（図示せず）等を通り）、上大静脈３０２を通じて右心房３０４内に送り込む。次に、第一のリード１１０を冠状動脈洞３１０内に且つ冠状動脈洞３１０を通じて且つ、斜静脈３０６内に送り込み、第一のリード１１０の先端電極２０２が斜静脈３０６の一部分と電気的に結合されるようにする。１つの実施の形態において、第一のリード１１０は、１つ以上の定着部材２１０により斜静脈３０６の一部分に取り付けられる。第二のリード１１２は、身体の静脈系を通り（例えば、鎖骨下静脈等を通り）且つ、上大静脈３０２を通じて上大静脈３０２の下側部分３０３に送り込まれ、第二のリード１１２の先端電極２０２が上大静脈３０２の下側部分３０３と電気的に結合される。１つの実施の形態において、第二のリード１１２は、１つ以上の定着部材２１０により上大静脈３０２の下側部分３０３の壁に取り付けられる。
【００１２】
心臓１１６に心房細動が生じていると判断したとき、右心房３０４及び左心房３０８を通じて第一のリード１１０の先端電極２０２と第二のリード１１２の先端電極２０２との間にて１つ又は複数の電気除細動パルスが伝送される。１つ又は複数の除細動パルスは、望ましくない細動を減少させるのに有用であり、心房は、自然の手段又はペーシング信号を通じてより正常なリズムを取り戻すことができる。１つ又は複数の除細動パルスは、１相パルスの形態とすることができ、ここで、電気エネルギは、右心房３０４及び左心房３０８を通じて第一のリード１１０の先端電極２０２と第二のリード１１２の先端電極２０２との間にて実質的に一方向に流れる。
【００１３】
これと代替的に、電気エネルギは、２相パルスの形態としてもよく、この場合、電気エネルギは、最初に、右心房３０４及び左心房３０８を通って第一のリード１１０の先端電極２０２と第二のリード１１２の先端電極２０２との間にて一方向に流れ、次に、右心房３０４及び左心房３０８を通って第一のリード１１０の先端電極２０２と第二のリード１１２の先端電極２０２との間にて反対方向に流れる。例えば、２相パルスは、第一のリード１１０の先端電極２０２から右心房３０４及び左心房３０８を通って第二のリード１１２の先端電極２０２まで流れる第一のパルスと、第二のリード１１２の先端電極２０２から右心房３０４及び左心房３０８を通って第一のリード１１０の先端電極２０２まで流れる第二のパルスとを備えることができる。
【００１４】
図４及び図５には、それぞれ、本発明によるリード及び除細動装置の第二の実施の形態及びその具体例が示してある。リード１１２の場合のように、リード４００は、リード４００の基端部分（図示せず）から末端側に配置された露出した導電性の先端電極４０２を有している。しかし、この実施の形態によって、先端電極４０２は、電気エネルギを右心室（ｒｉｇｈｔ  ｖｅｎｔｒｉｃｌｅ）５０２の壁に供給し且つ（又は）電気エネルギを右心室５０２の壁から受け取るために使用される。リード４００は、植込み型電子装置１０６又は植込み型電子装置１０６から伸びる延長電線（図示せず）を先端電極４０２と電気的に結合する導体セット４０６を有している。導体セット４０６は、また、直接的に又は延長電線を介して、リードの基端部分と先端電極４０２との中間に配置されたリング電極４０８を植込み型電子装置１０６と電気的に結合する。本発明は、リング電極４０８に関して説明するが、電極は、任意の所望の形状及び寸法とすることができる。リード４００はまた、リード右心室５０２の壁に定着する１つ以上の定着部材４１０を有することもできる。
【００１５】
図５に示すように、第一のリード１１０は、第一の実施の形態（図３に図示）にて説明したように、配線される。リード４００は上大静脈３０２を通じ且つ右心房３０４を通じて右心室５０２内に配線され、先端電極４０２が右心室５０２の壁と電気的に結合され、リング電極４０８は上大静脈３０２の下側部分３０３と電気的に結合される。この実施の形態において、装置１０６から発する１つ又は複数の除細動パルスをリング電極４０８と第一のリード１１０の先端電極２０２との間にて右心房３０４及び左心房３０８を通じて伝送し、右心房３０４及び左心房３０８の除細動を行うことができる。更に、１つ又は複数の除細動パルスをリード４００の先端電極４０２と、第一のリード１１０の先端電極２０２及びリング電極４０８の一方又はその双方との間にて右心室５０２及び（又は）左心室５０４を通じて伝送し、右心室５０２及び（又は）左心室５０４を除細動することができる。
【００１６】
第一の実施の形態（図２及び図３に図示）におけるように、リード４００の先端電極４０２と、第一のリード１１０の先端電極２０２及びリング電極４０８の一方又はその双方との間にて伝送された電気エネルギは、両方向に（すなわち、リード４００の先端電極４０２から第一のリード１１０の先端電極２０２及びリング電極４０８の一方又はその双方まで、或いは、第一のリード１１０の先端電極２０２及びリング電極４０８の一方又はその双方からリード４００の先端電極４０２まで）１相とすることができる。更に、リード４００の先端電極４０２と、第一のリード１１０の先端電極２０２及びリング電極４０８の一方又はその双方との間にて伝送される電気エネルギは、２相とすることができる（すなわち、最初に、リード４００の先端電極４０２と、第一のリード１１０の先端電極２０２及びリング電極４０８の一方又はその双方との間にて一方向に流れ、次に、その反対方向に流れる）。
【００１７】
リード１１０、１１２、４００の各種の実施の形態を含む植込み型除細動器１０２は、心臓１１６の１つ以上の位置にて心臓のリズム等を感知する能力を含むことができる。例えば、図６に示した本発明によるリードの第三の実施の形態において、リード６００は、導体セット６０４を介して植込み型電子装置１０６と電気的に結合された感知電極６０２を有している。リード６００の１つの特徴は、リード１１０、１１２（図２に図示）と共通のものとすることができるが、必ずしもその必要はなく且つ、図６に図示されている（例えば、先端電極２０２、定着部材２１０等）。
【００１８】
更に、図７に示すように、本発明によるリードの第四の実施の形態において、リード７００は、植込み型電子装置１０６と電気的に結合された感知電極７０２を有している。リード７００のその他の特徴は、リード４００（図４に図示）と共通のものとすることができるが、必ずしもその必要はなく且つ、図７に図示されている（例えば、先端電極４０２、リング電極４０８、定着部材４１０等）。感知電極６０２、７０２の特定の形態及び位置が図６及び図７にそれぞれ示してあるが、本発明には、任意の所望の形態及び位置が包含される。
【００１９】
心臓の除細動方法の第一の実施の形態が図８に示されている。該方法は、第一の電極を上大静脈の下側部分の壁と電気的に接触するように配置するステップ（ブロック８０２）と、第二の電極を斜静脈壁と電気的に接触するように配置するステップ（ブロック８０４）とを含む。該方法は、心臓に心房細動が生じたならば、第一の電極と第二の電極との間にて電気パルスを伝送するステップ（ブロック８０６）を更に備えている。心臓に供給される電気パルスは１相パルス又は２相パルスとすることができる。心臓に供給されるパルスは、図２、図４、図６、図７に関して説明したリードの１つを使用して供給することができる。
【００２０】
図９に示した第二の実施の形態において、図８の方法は、心房細動の有無について心臓を感知するステップ（ブロック９０２）を更に備えている。１つの実施の形態において、装置１０６は、心臓から受け取った１つ以上の電気信号に基づいて心臓に心房細動が生じていると判断し、この判断に応答して１つのパルスを提供することもできる。
【００２１】
図１０に示すように、心臓の除細動方法の第三の実施の形態において、図８の方法は、第三の電極を心臓の右心室壁と電気的に接触するように配置するステップ（ブロック１００２）と、心臓に心室細動が生じているならば、第三の電極と第一及び第二の電極の少なくとも一方との間にて電気パルスを伝送するステップ（ブロック１００４）とを更に含む。電気パルスは１相パルス又は２相パルスとすることができる。
【００２２】
図１１に示した第四の実施の形態において、図１０の方法は、心房細動の有無について（ブロック１１０２）及び（又は）心室細動の有無について（ブロック１１０４）心臓を感知するステップを更に含む。
【００２３】
このように、本発明は、心房細動に遭遇するならば、１つ又は複数の除細動パルスが特に心房に供給されるようにする方法を提供し且つ（又は）、心室が細動しているならば、除細動パルスを双方の心室を通じて供給することを許容する。本発明の実施の形態を使用すれば、心臓の１つ以上の部分（例えば、右心房３０４、左心房３０８、右心室５０２及び左心室５０４等）は、植込み型電子装置１０６により検知された心臓の事象に応答して実質的に同時に刺激することができる。
【００２４】
本発明は、本明細書の教示の利点を享受する当該技術分野の当業者に明らかである、異なるが、等価的な仕方にて変更を加え且つ、実施することが可能であるから、上述した特定の実施の形態は、単に説明のためだけである。更に、特許請求の範囲に記載したもの以外、本明細書に示した構造又は設計の詳細にのみ限定することを意図するものではない。このため、上記に開示した特定の実施の形態は変更し又は改変することが可能であり、かかる変更の全ては、本発明の範囲及び精神に属すると考えられることは明らかである。従って、本発明にて求める保護は特許請求の範囲に記載した通りである。
【図面の簡単な説明】
【００２５】
【図１】人体内に植え込んだ、本発明による冠状血管除細動装置の定型化した図である。
【図２】図１の冠状血管除細動装置用リードに対する第一の実施の形態を示す定型化した図である。
【図３】図１の冠状血管除細動装置に対する第一の実施の形態を示す部分的に定型化した図である。
【図４】図１の冠状血管除細動装置用リードに対する第二の実施の形態を示す定型化した斜視図である。
【図５】図１の冠状血管除細動装置用リードに対する第二の実施の形態を示す部分的に定型化した図である。
【図６】図１の冠状血管除細動装置用リードに対する第三の実施の形態を示す定型化した斜視図である。
【図７】図１の冠状血管除細動装置用リードに対する第四の実施の形態を示す定型化した斜視図である。
【図８】本発明による方法の第一の実施の形態を示すフロー図である。
【図９】本発明による方法の第二の実施の形態を示すフロー図である。
【図１０】本発明による方法の第三の実施の形態を示すフロー図である。
【図１１】本発明による方法の第四の実施の形態を示すフロー図である。
【図１】
2005518257.tif 000003
【図２】
2005518257.tif 000004
【図３】
2005518257.tif 000005
【図４】
2005518257.tif 000006
【図５】
2005518257.tif 000007
【図６】
2005518257.tif 000008
【図７】
2005518257.tif 000009
【図８】
2005518257.tif 000010
【図９】
2005518257.tif 000011
【図１０】
2005518257.tif 000012
【図１１】
2005518257.tif 000013
【国際調査報告】
2005518257.tif 000014
2005518257.tif 000015
2005518257.tif 000016